(57)【要約】      （修正有）【課題】簡単な構造で安価に製造でき、型枠へ固定する場合は上下で同時に作業する必要がなく上部からの作業のみで容易に固定でき、型枠型枠解体時に一部品の撤去で済むボード用アンカー、並びにこれを用いた中空スラブ用緊結具及びスラブスペーサを開発する。【解決手段】アンカー本体６１は、筒状部と、その上端に形成したフランジ部とからなり、筒状部の下端には外側に膨出する抜止部を形成し、筒状部の内壁には下部が上部よりも内径が大きくなるような段部６６を形成する。軸体６２は下部に矢印状の抜止バネ部６８を有する。アンカー本体と軸体を差し込むのみで、容易にボードに固定できる。軸体の上部に浮き上がり防止手段を設けると中空スラブ用緊結具となり、軸体上部にスペーサ本体を接合すると中空スラブ用スペーサとなる。【選択図】      図１２
2004324067.tif 000002
【特許請求の範囲】
【請求項１】
表裏貫通する非円形貫通孔（５、２５）を有する基板（４、２４）の裏面の貫通孔周囲から、外側に向かって膨出する抜止部（７、２７）を下端に有する垂下部（６、２６）を垂下形成したアンカー本体（２、２２）と、前記貫通孔（５、２５）と垂下部（６、２６）の中に挿通可能で所定角度回転することで引き抜き不能となる非円形の下頭部（１１、２８）を下端に備えた軸体（３、２３）とからなり、前記アンカー本体（２、２２）をボードに形成した穴に挿入すると前記基板（４、２４）の背面と抜止部（７、２７）の間でボードを挟持してアンカー本体（２、２２）がボードに固定され、このアンカー本体（２、２２）に前記軸体（３、２３）を挿入して所定角度回転することで前記下頭部（１１、２８）が前記垂下部（６、２６）の下端に係合して引き抜き不能となることを特徴とするボード用アンカー
【請求項２】
請求項１のボード用アンカーにおいて、前記垂下部（６、２６）の外周面が粗面に形成されていることを特徴とするボード用アンカー
【請求項３】
請求項１又は２のボード用アンカーにおいて、前記垂下部（６、２６）が２本対向して形成されており、その対向する垂下部（６、２６）の下端の隙間をなくすように閉じると、下端の抜止部（７、２７）の外径がボードの穴径とほぼ等しくなることを特徴とするボード用アンカー
【請求項４】
垂下部（６３）と、その上端に形成された基板（６４）とからなり、垂下部（６３）の下端には外側に膨出する抜止部（６５）を形成し、垂下部（６３）の内壁には下部が上部よりも内径が大きくなるような段部（６６）を形成したアンカー本体（６１）と、下部に矢印状の抜止バネ部（６８）を有する軸体（６２）とからなり、前記アンカー本体（６１）をボードに形成した穴に挿入すると前記基板（６４）の背面と抜止部（６５）の間でボードを挟持してアンカー本体（６１）がボードに固定され、このアンカー本体（６１）に前記軸体（６２）を挿入すると、前記抜止バネ部（６８）が前記段部（６６）に係合して引き抜き不能となることを特徴とするボード用アンカー
【請求項５】
請求項４のボード用アンカーにおいて、前記垂下部（６３）の内壁上部に、前記抜止バネ部（６８）に対応してテーパ状のガイド部（８６）を形成し、前記アンカー本体（６１）に前記軸体（６２）を挿入するときに、ガイド部（８６）がガイドとなって軸体（６２）が容易に、かつ、所定の向きに挿入されることを特徴とするボード用アンカー
【請求項６】
表裏貫通し円形の対向する２端部を弓形に切り欠いたタイコ形をなす貫通孔（１５３）を有する基板（１５２）の裏面の前記弓形部分から、該弓形の断面形状をなし、外側に向かって膨出する抜止部（１５５）を下端に有する垂下部（１５４）を垂下形成したアンカー本体（１５１）と、下部に矢印状の抜止バネ部（１６１）を有する軸体（１６０）とからなり、前記アンカー本体（１５１）をボードに形成した穴に挿入すると前記基板（１５２）の背面と抜止部（１５５）の間でボードを挟持してアンカー本体（１５１）がボードに固定され、このアンカー本体（１５１）の前記貫通孔（１５３）に前記軸体（１６０）を挿入すると、前記抜止バネ部（１６１）が前記垂下部の下で開いて引き抜き不能となるボード用アンカーであって、前記抜止バネ部（１６１）の平面形状が前記タイコ形をなし、縮めた状態では前記貫通孔（１５３）を通過可能で、解放した状態では前記垂下部に引っ掛かって引き抜き抜き不能となることを特徴とするボード用アンカー
【請求項７】
請求項１〜６のいずれかのボード用アンカーにおいて、前記軸体の軸に脆弱に形成された破断部（１６、３０）を設けたことを特徴とするボード用アンカー
【請求項８】
上下方向に貫通し内周に雌ねじを有するボルト孔（９２）を有し、側面にはボードが嵌合する三日月形状の嵌合溝（９３）を有する概略円筒形状のアンカー本体（９１）と、該アンカー本体（９１）をボードに形成した円形穴（５７）に差し入れた後横方向に移動して前記嵌合溝（９３）に前記円形穴（５７）の周囲の部分のボードを嵌合してアンカー本体（９１）をボードに保持せしめたときに生じる円形穴（５７）との隙間を閉塞する三日月形状のパッキン材（９４）とからなることを特徴とするボード用アンカー
【請求項９】
請求項８のボード用アンカーにおいて、前記ボルト孔（９２）が雌ねじを有し、該雌ねじがアンカー本体（９１）に装着された金属ナット（１００）によって形成されていることを特徴とするボード用アンカー
【請求項１０】
請求項１〜７のいずれかのボード用アンカーの前記軸体（３）の上部に鉄筋及び／又はボイドの浮き上がりを防止する浮上防止手段（１２）を設けたことを特徴とする中空スラブ用緊結具
【請求項１１】
請求項８又は９のボード用アンカーの前記ボルト孔に、上部に鉄筋及び／又はボイドの浮き上がりを防止する浮上防止手段を有する軸体を螺着したことを特徴とする中空スラブ用緊結具
【請求項１２】
上筋及び／又は下筋を所定の高さ位置に保持する鉄筋保持部と、鉄筋及び／又はボイドの浮き上がりを防止する浮上防止手段（３５、７３）を有するスペーサ本体（３２、７０）と、上部に任意の接合手段（２９、６７）を備える前記軸体（２３、６２）を有する請求項１〜７のいずれかのボード用アンカーとからなり、前記スペーサ本体（３２、７０）は前記軸体（２３、６２）の接合手段（２９、６７）と接合可能な接合部（３６、７４）を有することを特徴とする中空スラブ用スペーサ
【請求項１３】
下筋保持部（３３、７１）、上筋保持部（３４、７２）及び上筋の浮き上がりを防止する浮上防止手段（３５、７３）を有するスペーサ本体（３２、７０）と、請求項１〜７のいずれかのボード用アンカーからなり、前記スペーサ本体（３２、７０）は前記軸体（２３、６２）の接合手段（２９、６７）と接合可能な接合部（３６、７４）を有することを特徴とする中空スラブ用スペーサ
【請求項１４】
請求項１３のスペーサにおいて、前記スペーサ本体（３２、７０）は下筋保持部（３３、７１）を有する下筋保持部材（３７、７５）と、上筋保持部（３４、７２）及び上筋浮上防止手段（３５、７３）を有する上筋保持部材（３８、７６）と、下筋保持部材（３７、７５）と上筋保持部材（３８、７６）を連結する支柱部材（３９、７７）とを有し、該支柱部材（３９、７７）が上下端に雄ねじが形成されたボルトであり、該支柱部材（３９、７７）の下端の雄ねじを前記下筋保持部材（３７、７５）に形成した雌ねじに螺着し、上端の雄ねじを前記上筋保持部材（３８、７６）に形成した雌ねじに螺着したことを特徴とする中空スラブ用スペーサ
【請求項１５】
請求項１４のスペーサにおいて、前記下筋保持部材（３７、７５）及び上筋保持部材（３８、７６）の雌ねじが、下筋保持部材（３７、７５）及び上筋保持部材（３８、７６）に形成され、かつ、下筋保持部材（３７、７５）及び上筋保持部材（３８、７６）の側面に開口するナット装着部（４０、７８、４１、７９）に挿入、装着した金属ナット（４２、８０、４３、８１）の雌ねじであることを特徴とする中空スラブ用スペーサ
【請求項１６】
請求項１２〜１５のいずれかのスペーサにおいて、前記軸体（２３）の接合手段（２９）が非円形の上頭部であり、前記スペーサ本体の接合部（３６）がスペーサ本体（３２）の下面に形成された非円形の挿入口（４４）とその奧の回転空所（４５）であり、軸体（２３）の上頭部をスペーサ本体（３２）の挿入口（４４）から回転空所（４５）に挿入し、所定角度回転することで上頭部が引き抜き不能となることを特徴とする中空スラブ用スペーサ
【請求項１７】
請求項１６のスペーサにおいて、前記スペーサ本体（３２）の下面に位置決め片（４６）を、前記アンカー本体（２２）の基板（２４）上面に位置決め突起（４７、４８）を設け、スペーサ本体（３２）とアンカー本体（２２）を相対的に所定角度回転したときに、位置決め片（４６）が位置決め突起（４７、４８）に係合してスペーサ本体（３２）とアンカー本体（２２）とが相対的に位置決めされて回転が拘束されることを特徴とする中空スラブ用スペーサ
【請求項１８】
請求項１６又は１７のスペーサにおいて、前記軸体（２３）の上部にストッパ片（５８）が、スペーサ本体（３２）の下面にストッパ突起（５９）が形成され、前記軸体（２３）とスペーサ本体（３２）とを相対的に所定角度回転したときにストッパ片（５８）がストッパ突起（５９）に当接して軸体（２３）とスペーサ本体（３２）の相対的な回転が拘束されることを特徴とする中空スラブ用スペーサ
【請求項１９】
下筋保持部材（１７０）、上筋保持部材及び上筋の浮上を防止する浮上防止手段を有するスペーサ本体と、上部に接合手段（１６２）である螺条を有する前記軸体（１６０）を有する請求項６のボード用アンカーとからなり、前記下筋保持部材（１７０）は前記軸体（１６０）の接合手段（１６２）と接合可能な接合部（１６６）を有する中空スラブ用スペーサであって、前記接合手段（１６２）と前記接合部（１６６）とを接合したときに、前記スペーサ本体と前記下筋保持部材とが一体化し、どちらか一方を回転させると他方が共に回転することを特徴とする中空スラブ用スペーサ
【請求項２０】
請求項１９のスペーサにおいて、前記軸体（１６０）及び下筋保持部材（１７０）に、相互の位置合わせのための目印を設けたことを特徴とする中空スラブ用スペーサ
【請求項２１】
請求項１９又は２０のスペーサにおいて、前記接合部が前記下筋保持部材（１７０）に装着したナット（１６６）であり、該ナット（１６６）の上部が前記下筋保持部材（１７０）の上部に突出して下筋（５３）の移動を制限することを特徴とする中空スラブ用スペーサ
【請求項２２】
請求項１４、１５、１９、２０又は２１のスペーサにおいて、前記下筋保持部材が下筋との結束が可能なものであることを特徴とする中空スラブ用スペーサ
【請求項２３】
下筋保持部（１０３）上筋保持部及び上筋の浮き上がりを防止する浮上防止手段を有し、下面からボルトを突出したスペーサ本体（１０１）と、請求項８又は９のボード用アンカーとからなり、前記スペーサ本体（１０１）のボルトを前記ボード用アンカーのボルト孔に螺合することを特徴とする中空スラブ用スペーサ
【請求項２４】
請求項２３のスペーサにおいて、前記スペーサ本体（１０１）は下筋保持部（１０３）を有する下筋保持部材（１０２）と、上筋保持部及び上筋浮上防止手段を有する上筋保持部材と、下筋保持部材（１０２）と上筋保持部材を連結する支柱部材（１０４）とを有し、前記支柱部材（１０４）が上下端に雄ねじが形成されたボルトであり、該支柱部材（１０４）の下端の雄ねじを前記下筋保持部材（１０２）の雌ねじに螺着すると共に支柱部材（１０４）の下端を下筋保持部材（１０２）の下面から下方に突出させ、上端の雄ねじを前記上筋保持部材の雌ねじに螺着したことを特徴とする中空スラブ用スペーサ
【請求項２５】
下筋保持部（１０３）を有する下筋保持部材（１０２）と、上筋保持部及び上筋浮上防止手段を有する上筋保持部材と、下筋保持部材（１０２）と上筋保持部材を連結する支柱部材（１０４）とを有するスペーサ本体（１０１）と、型枠に固定するボード用アンカー（９０、１１０）とからなり、前記支柱部材（１０４）が上下端に雄ねじが形成されたボルトであり、該支柱部材（１０４）の下端の雄ねじを前記下筋保持部材（１０２）の雌ねじに螺着すると共に支柱部材（１０４）の下端を下筋保持部材（１０２）の下面から下方に突出させ、上端の雄ねじを前記上筋保持部材の雌ねじに螺着することで前記スペーサ本体が組み立てられており、前記支柱部材（１０４）の下端部を型枠に固定したボード用アンカー（９０、１１０）のボルト孔に螺着して型枠に取り付けるスペーサであって、前記支柱部材（１０４）の前記下筋保持部材（１０２）の内部にある位置に、脆弱に形成された破断部（１０６）を設けたことを特徴とする中空スラブ用スペーサ
【請求項２６】
請求項７のボード用アンカーにおいて、該ボード用アンカーが型枠（５１）とその上に設けた断熱材（５２）とを複合したボードに用いるものであり、前記垂下部（６’）に脆弱に形成された破断部（３１）を設けたことを特徴とするボード用アンカー
【請求項２７】
請求項１２〜１８のいずれかのスペーサにおいて、前記ボード用アンカーが請求項２６のボード用アンカーであることを特徴とする中空スラブ用スペーサ
【請求項２８】
型枠（５１）とその上に設けた断熱材（５２）とを複合したボードに用いるボード用アンカーであって、表裏貫通する円形の貫通孔（１３１）を有する基板（１３０）の裏面の貫通孔周囲から、外側に向かって膨出する抜止部（１２４）を下端に有する垂下部（１２２）を垂下形成したアンカー本体（１２０）と、上部軸（１３２）が前記貫通孔（１３１）とほぼ同径、下部軸（１３３）がそれよりも小径に形成され、該上部軸（１３２）と下部軸（１３３）の境目が型枠（５１）と断熱材（５２）の境目付近にあり、前記貫通孔（１３１）と垂下部（１２２）の中に挿通可能で所定角度回転することで引き抜き不能となる非円形の下頭部（１３４）を下端に備えた軸体（１２１）とからなり、前記アンカー本体（１２０）をボード（５１、５２）に形成した穴に挿入すると前記基板（１３０）の背面と抜止部（１２４）の間でボード（５１、５２）を挟持してアンカー本体（１２０）がボードに固定され、このアンカー本体（１２０）に前記軸体（１２１）を挿入して所定角度回転することで前記下頭部（１３４）が前記垂下部（１２２）の下端に係合して引き抜き不能となることを特徴とするボード用アンカー
【請求項２９】
請求項２８のボード用アンカーにおいて、前記垂下部（１２２）の型枠（５１）と断熱材（５２）の境目に相当する付近に脆弱に形成された破断部（１２５）を設け、前記上部軸（１３２）の直下に脆弱に形成された破断部（１３８）を設けたことを特徴とするボード用アンカー
【請求項３０】
請求項２９のボード用アンカーにおいて、前記下部軸（１３３）外周にストッパ（１３７）を突設し、前記垂下部（１２２）内面にこれに対応するストッパ受部（１２６）を突設し、前記軸体（１２１）を所定角度回転すると、前記ストッパ（１３７）が前記ストッパ受部（１２６）に当接して回転が停止し、型枠解体時には前記下頭部（１３４）を強い力で回転すると、前記ストッパ（１３７）が前記ストッパ受部（１２６）に当接しているために下部軸（１３３）と共に垂下部（１２２）の下部（１２３）が回転し、破断部（１３８）が破断して下部軸（１３３）を取り外せると共に、破断部（１２５）が破断して垂下部（１２２）の下部（１２３）を取り外せることを特徴とするボード用アンカー
【発明の詳細な説明】
【０００１】
【発明の属する技術分野】
本発明は、型枠などのボード類に種々の機器を取り付けるために型枠などのボード類に固定するボード用アンカー、及び、これを用いて型枠に取り付けるスペーサで、特に中空スラブの鉄筋を所定位置に位置せしめるための中空スラブ用スペーサに関する。
【０００２】
【従来の技術】
特許第３３１１３４０号公報には、下筋用と上筋用を兼用した中空スラブ用のスラブスペーサが開示されている。これは、下筋を保持する支持基台と、これから立設した２本の支柱と、支柱の上部に設けた上筋を保持する支持部を有し、型枠に支持基台を取り付けた後に下筋を配筋し、その後支持基台に支柱を取り付け、掛止部を折り曲げて支柱を固定し、その後上筋を配筋し、折曲部を折り曲げて上筋を固定するものである。このスラブスペーサは、上筋を固定して浮き上がりを防止するので、スラブの中空部を形成するボイドが浮力を受けてコンクリート内から浮き上がるのを防ぐための特別なボイド浮き上がり防止具（実公昭６２−４１０３、特開平１１−１０７５２７、特開２０００−１９２６５４等）を設けなくともよく、スラブスペーサがボイドの浮き上がり防止具を兼用する点で優れている。
【０００３】
【発明が解決しようとする課題】
しかし、特許第３３１１３４０号公報のスラブスペーサには次のような問題点があった。
▲１▼  ２本の支柱が一体化された構成であるので、構造が複雑で製造コストが高くなっていた。
▲２▼  支持基台に支柱を固定するのに掛止部を折り曲げなければならないので、煩雑で作業能率が悪かった。また、支柱の固定が不十分となりやすかった。
▲３▼  上筋を固定するのに折曲部を折り曲げなければならないので、煩雑で作業能率が悪かった。また、上筋の固定が不十分となりやすかった。
【０００４】
また、実公昭６２−４１０３には、ボイド浮き上がり防止具を型枠に固定する手段が開示されているが、この手段では、型枠解体時に、植込みボルトとナットの両方を撤去する必要があり、面倒であった。
【０００５】
本発明は、簡単な構造で安価に製造でき、型枠へ固定する場合は上下で同時に作業する必要がなく上部からの作業のみで容易に固定でき、型枠型枠解体時に一部品の撤去で済むボード用アンカー、並びにこれを用いた中空スラブ用緊結具及びスラブスペーサを開発することを課題としてなされたものである。
【０００６】
【課題を解決するための手段】
本願の請求項１の発明は、表裏貫通する非円形貫通孔（５、２５）を有する基板（４、２４）の裏面の貫通孔周囲から、外側に向かって膨出する抜止部（７、２７）を下端に有する垂下部（６、２６）を垂下形成したアンカー本体（２、２２）と、前記貫通孔（５、２５）と垂下部（６、２６）の中に挿通可能で所定角度回転することで引き抜き不能となる非円形の下頭部（１１、２８）を下端に備えた軸体（３、２３）とからなり、前記アンカー本体（２、２２）をボードに形成した穴に挿入すると前記基板（４、２４）の背面と抜止部（７、２７）の間でボードを挟持してアンカー本体（２、２２）がボードに固定され、このアンカー本体（２、２２）に前記軸体（３、２３）を挿入して所定角度回転することで前記下頭部（１１、２８）が前記垂下部（６、２６）の下端に係合して引き抜き不能となることを特徴とするボード用アンカーである。アンカー本体をボードに片側から差し込むだけでボードに固定できるので、ボードへの固定作業がきわめて簡単である。軸体は、アンカー本体の貫通孔に挿入し、所定角度回転すればよいので、軸体の取り付け作業もきわめて簡単である。
【０００７】
本願の請求項２の発明は、請求項１のボード用アンカーにおいて、前記垂下部（６、２６）の外周面が粗面に形成されていることを特徴とするボード用アンカーである。ここで粗面とは、細かい凹凸、やや大きな凹凸、突条、溝等が形成されて摩擦が大きくなっている面をいう。垂下部の外面が粗面となっているのでアンカー本体とボードの摩擦が大きくなり、軸体を所定角度回転する際にアンカー本体が共に回転するのを防止できる。
【０００８】
本願の請求項３の発明は、請求項１又は２のボード用アンカーにおいて、前記垂下部（６、２６）が２本対向して形成されており、その対向する垂下部（６、２６）の下端の隙間をなくすように閉じると、下端の抜止部（７、２７）の外径がボードの穴径とほぼ等しくなることを特徴とするボード用アンカーである。このように構成すると、垂下部下端の抜止部の突出量を最大にすることができ、アンカーの引き抜き強度が最大となる。
【０００９】
本願の請求項４の発明は、垂下部（６３）と、その上端に形成された基板（６４）とからなり、垂下部（６３）の下端には外側に膨出する抜止部（６５）を形成し、垂下部（６３）の内壁には下部が上部よりも内径が大きくなるような段部（６６）を形成したアンカー本体（６１）と、下部に矢印状の抜止バネ部（６８）を有する軸体（６２）とからなり、前記アンカー本体（６１）をボードに形成した穴に挿入すると前記基板（６４）の背面と抜止部（６５）の間でボードを挟持してアンカー本体（６１）がボードに固定され、このアンカー本体（６１）に前記軸体（６２）を挿入すると、前記抜止バネ部（６８）が前記段部（６６）に係合して引き抜き不能となることを特徴とするボード用アンカーである。アンカー本体をボードに片側から差し込むだけでボードに固定できるので、ボードへの固定作業がきわめて簡単である。軸体は、アンカー本体に挿入するだけよいので、軸体の取り付け作業もきわめて簡単である。抜止バネ部によって垂下部の内壁が外側に押圧され、抜止部が確実にボードの裏側に係合する。垂下部は縦溝を形成すると、変形しやすくなってボードの穴に容易に挿入できるようになる。
【００１０】
本願の請求項５の発明は、請求項４のボード用アンカーにおいて、前記垂下部（６３）の内壁上部に、前記抜止バネ部（６８）に対応してテーパ状のガイド部（８６）を形成し、前記アンカー本体（６１）に前記軸体（６２）を挿入するときに、ガイド部（８６）がガイドとなって軸体（６２）が容易に、かつ、所定の向きに挿入されることを特徴とするボード用アンカーである。ガイド部を設けることで、軸体の挿入が容易になり、かつ、軸体の向きを所定の向きにそろえることができる。
【００１１】
本願の請求項６の発明は、表裏貫通し円形の対向する２端部を弓形に切り欠いたタイコ形をなす貫通孔（１５３）を有する基板（１５２）の裏面の前記弓形部分から、該弓形の断面形状をなし、外側に向かって膨出する抜止部（１５５）を下端に有する垂下部（１５４）を垂下形成したアンカー本体（１５１）と、下部に矢印状の抜止バネ部（１６１）を有する軸体（１６０）とからなり、前記アンカー本体（１５１）をボードに形成した穴に挿入すると前記基板（１５２）の背面と抜止部（１５５）の間でボードを挟持してアンカー本体（１５１）がボードに固定され、このアンカー本体（１５１）の前記貫通孔（１５３）に前記軸体（１６０）を挿入すると、前記抜止バネ部（１６１）が前記垂下部の下で開いて引き抜き不能となるボード用アンカーであって、前記抜止バネ部（１６１）の平面形状が前記タイコ形をなし、縮めた状態では前記貫通孔（１５３）を通過可能で、解放した状態では前記垂下部に引っ掛かって引き抜き抜き不能となることを特徴とするボード用アンカーである。アンカー本体の貫通孔の形状をタイコ形とすることで、垂下部の抜止部を最も大きくすることができ、耐引き抜き力が大きくなる。軸体の抜止バネ部の形状もタイコ形とすることで、耐引き抜き力が大きくなる。
【００１２】
本願の請求項７の発明は、請求項１〜６のいずれかのボード用アンカーにおいて、前記軸体の軸に脆弱に形成された破断部（１６、３０）を設けたことを特徴とするボード用アンカーである。このアンカーは、特にボードが型枠である場合に好適なもので、コンクリートの硬化後に型枠を取り外す場合、型枠の裏面から軸体を回転することで軸体が破断し、下頭部又は抜止バネ部を含む軸体下部を取り外すことができ、型枠の取り外しが可能となる。すなわち、１部材を取り外すことで型枠を取り外すことができるので、作業がきわめて簡単となる。
【００１３】
本願の請求項８の発明は、上下方向に貫通し内周に雌ねじを有するボルト孔（９２）を有し、側面にはボードが嵌合する三日月形状の嵌合溝（９３）を有する概略円筒形状のアンカー本体（９１）と、該アンカー本体（９１）をボードに形成した円形穴（５７）に差し入れた後横方向に移動して前記嵌合溝（９３）に前記円形穴（５７）の周囲の部分のボードを嵌合してアンカー本体（９１）をボードに保持せしめたときに生じる円形穴（５７）との隙間を閉塞する三日月形状のパッキン材（９４）とからなることを特徴とするボード用アンカーである。アンカー本体をボードに片側から差し込み、横に移動してパッキン材を填め込むことでボードに固定できるので、ボードへの固定作業が片側だけの作業でよく、きわめて簡単である。
【００１４】
本願の請求項９の発明は、請求項８のボード用アンカーにおいて、前記ボルト孔（９２）が雌ねじを有し、該雌ねじがアンカー本体（９１）に装着された金属ナット（１００）によって形成されていることを特徴とするボード用アンカーである。雌ねじが金属であるので、種々の機材を雌ねじに螺合して取り付けたときの取付強度が大きくなる。本体はプラスチック製とすることで安価に製造できる。
【００１５】
本願の請求項１０の発明は、請求項１〜７のいずれかのボード用アンカーの前記軸体（３）の上部に鉄筋及び／又はボイドの浮き上がりを防止する浮上防止手段（１２）を設けたことを特徴とする中空スラブ用緊結具である。軸体の上部に浮き上がり防止手段を設けることで、ボード用アンカーを中空スラブのボイド（中空部分を成形する中子）を緊結して浮き上がりを防止する中空スラブ用緊結具として用いることができる。ボード用アンカーの耐引き抜き力によって、鉄筋やボイドの浮力に対抗できる。浮上防止手段としては、鈎状に形成して引っ掛ける方式、挟みつける方式、ボルトなどで固定する方式など、種々の公知手段を採用できる。
【００１６】
本願の請求項１１の発明は、請求項８又は９のボード用アンカーの前記ボルト孔に、上部に鉄筋及び／又はボイドの浮き上がりを防止する浮上防止手段を有する軸体を螺着したことを特徴とする中空スラブ用緊結具である。この場合も、請求項１０の発明と同様に、ボード用アンカーを中空スラブ用緊結具として用いることができる。
【００１７】
本願の請求項１２の発明は、上筋及び／又は下筋を所定の高さ位置に保持する鉄筋保持部と、鉄筋及び／又はボイドの浮き上がりを防止する浮上防止手段（３５、７３）を有するスペーサ本体（３２、７０）と、上部に任意の接合手段（２９、６７）を備える前記軸体（２３、６２）を有する請求項１〜７のいずれかのボード用アンカーとからなり、前記スペーサ本体（３２、７０）は前記軸体（２３、６２）の接合手段（２９、６７）と接合可能な接合部（３６、８３）を有することを特徴とする中空スラブ用スペーサである。軸体の上部に接合手段を設け、これにスペーサ本体下部の接合部を接合することで、ボード用アンカーにスペーサ本体を接合し、中空スラブ用スペーサとして用いることができる。ボード用アンカーの耐引き抜き力によって、鉄筋やボイドの浮力に対抗できる。接合手段、接合部の構造は任意である。
【００１８】
本願の請求項１３の発明は、下筋保持部（３３、７１）、上筋保持部（３４、７２）及び上筋の浮き上がりを防止する浮上防止手段（３５、７３）を有するスペーサ本体（３２、７０）と、請求項１〜７のいずれかのボード用アンカーからなり、前記スペーサ本体（３２、７０）は前記軸体（２３、６２）の接合手段（２９、６７）と接合可能な接合部（３６、７４）を有することを特徴とする中空スラブ用スペーサである。下筋保持部と上筋保持部によって、下筋と上筋を所定の高さ位置に保持でき、また上筋の浮き上がりを防止する浮上防止手段を有するので、ボイドを上筋に接続しておけば、ボイドが浮力で浮き上がることも防止できる。
【００１９】
本願の請求項１４の発明は、請求項１３のスペーサにおいて、前記スペーサ本体（３２、７０）は下筋保持部（３３、７１）を有する下筋保持部材（３７、７５）と、上筋保持部（３４、７２）及び上筋浮上防止手段（３５、７３）を有する上筋保持部材（３８、７６）と、下筋保持部材（３７、７５）と上筋保持部材（３８、７６）を連結する支柱部材（３９、７７）とを有し、該支柱部材（３９、７７）が上下端に雄ねじが形成されたボルトであり、該支柱部材（３９、７７）の下端の雄ねじを前記下筋保持部材（３７、７５）に形成した雌ねじに螺着し、上端の雄ねじを前記上筋保持部材（３８、７６）に形成した雌ねじに螺着したことを特徴とする中空スラブ用スペーサである。スペーサ本体が上記の構成であるので、下筋保持部材及び上筋保持部材をプラスチック製とすることができ、支柱部材は市販の両端にねじを有するボルトを使用できるので、スペーサ本体を安価かつ容易に製造できる。
【００２０】
本願の請求項１５の発明は、請求項１４のスペーサにおいて、前記下筋保持部材（３７、７５）及び上筋保持部材（３８、７６）の雌ねじが、下筋保持部材（３７、７５）及び上筋保持部材（３８、７６）に形成され、かつ、下筋保持部材（３７、７５）及び上筋保持部材（３８、７６）の側面に開口するナット装着部（４０、７８、４１、７９）に挿入、装着した金属ナット（４２、８０、４３、８１）の雌ねじであることを特徴とする中空スラブ用スペーサである。下筋保持部材及び上筋保持部材をプラスチック製とすることができ、金属ナットを填め込むだけで雌ねじが形成できるので、製造が安価、容易であり、雌ねじが金属製となるので、強度も大きくなる。
【００２１】
本願の請求項１６の発明は、請求項１２〜１５のいずれかのスペーサにおいて、前記軸体（２３）の接合手段（２９）が非円形の上頭部であり、前記スペーサ本体の接合部（３６）がスペーサ本体（３２）の下面に形成された非円形の挿入口（４４）とその奧の回転空所（４５）であり、軸体（２３）の上頭部をスペーサ本体（３２）の挿入口（４４）から回転空所（４５）に挿入し、所定角度回転することで上頭部が引き抜き不能となることを特徴とする中空スラブ用スペーサである。このように構成すると、軸体とスペーサ本体との接合が容易となる。
【００２２】
本願の請求項１７の発明は、請求項１６のスペーサにおいて、前記スペーサ本体（３２）の下面に位置決め片（４６）を、前記アンカー本体（２２）の基板（２４）上面に位置決め突起（４７、４８）を設け、スペーサ本体（３２）とアンカー本体（２２）を相対的に所定角度回転したときに、位置決め片（４６）が位置決め突起（４７、４８）に係合してスペーサ本体（３２）とアンカー本体（２２）とが相対的に位置決めされて回転が拘束されることを特徴とする中空スラブ用スペーサである。このように構成すると、軸体とスペーサ本体とが位置決めされ、不用意に軸体とスペーサ本体が分離してしまうのを防止できる。
【００２３】
本願の請求項１８の発明は、請求項１６又は１７のスペーサにおいて、前記軸体（２３）の上部にストッパ片（５８）が、スペーサ本体（３２）の下面にストッパ突起（５９）が形成され、前記軸体（２３）とスペーサ本体（３２）とを相対的に所定角度回転したときにストッパ片（５８）がストッパ突起（５９）に当接して軸体（２３）とスペーサ本体（３２）の相対的な回転が拘束されることを特徴とする中空スラブ用スペーサである。このように構成すると、軸体を予めスペーサ本体に取り付ける場合、所定角度回転したときに回転が停止するので、確実に軸体をスペーサ本体に取り付けることができる。
【００２４】
本願の請求項１９の発明は、下筋保持部材（１７０）、上筋保持部材及び上筋の浮上を防止する浮上防止手段を有するスペーサ本体と、上部に接合手段（１６２）である螺条を有する前記軸体（１６０）を有する請求項６のボード用アンカーとからなり、前記下筋保持部材（１７０）は前記軸体（１６０）の接合手段（１６２）と接合可能な接合部（１６６）を有する中空スラブ用スペーサであって、前記軸体（１６０）の接合手段（１６２）と前記下筋保持部材（１７０）の接合部（１６６）とを接合したときに、前記スペーサ本体と前記下筋保持部材とが一体化し、どちらか一方を回転させると他方が共に回転することを特徴とする中空スラブ用スペーサである。ボード用アンカーに下筋保持部材を接合した後、下筋保持部材の向きを調整するために回転させたとき、ボード用アンカーが共に回転するので、軸体（抜止バネ部）とアンカー本体との位置関係が変化せず、軸体の耐引き抜き強度が弱化するのを防止できる。
【００２５】
本願の請求項２０の発明は、請求項１９のスペーサにおいて、前記軸体（１６０）及び下筋保持部材（１７０）に、相互の位置合わせのための目印を設けたことを特徴とする中空スラブ用スペーサである。軸体と下筋保持部材の目印を合わせることで、軸体と下筋保持部材とを接合する場合、正しい位置関係に容易に接合できる。
【００２６】
本願の請求項２１の発明は、請求項１９又は２０のスペーサにおいて、前記接合部（１６６）が前記下筋保持部材（１７０）に装着したナットであり、該ナットの上部が前記下筋保持部材（１７０）の上部に突出して下筋（５３）の移動を制限することを特徴とする中空スラブ用スペーサである。下筋の移動が制限されるので、下筋配筋の際に下筋が所定の位置から外れにくく、配筋作業が容易となる。
【００２７】
本願の請求項２２の発明は、請求項１４、１５、１９、２０又は２１のスペーサにおいて、前記下筋保持部材が下筋との結束が可能なものであることを特徴とする中空スラブ用スペーサである。ボイドと下筋を結合し、ボイドの浮力が下筋に作用したとき、下筋を下筋保持部に結束することで下筋が浮き上がるのを防止できる。
【００２８】
本願の請求項２３の発明は、下筋保持部（１０３）上筋保持部及び上筋の浮き上がりを防止する浮上防止手段を有し、下面からボルトを突出したスペーサ本体（１０１）と、請求項８又は９のボード用アンカーとからなり、前記スペーサ本体（１０１）のボルトを前記ボード用アンカーのボルト孔に螺合することを特徴とする中空スラブ用スペーサである。スペーサ本体のボルトをアンカー本体のボルト孔に螺合するのみで、アンカー本体にスペーサ本体を取り付け、ボード用アンカーを容易に中空スラブ用スペーサとして利用することができる。
【００２９】
本願の請求項２４の発明は、請求項２３のスペーサにおいて、前記スペーサ本体（１０１）は下筋保持部（１０３）を有する下筋保持部材（１０２）と、上筋保持部及び上筋浮上防止手段を有する上筋保持部材と、下筋保持部材（１０２）と上筋保持部材を連結する支柱部材（１０４）とを有し、前記支柱部材（１０４）が上下端に雄ねじが形成されたボルトであり、該支柱部材（１０４）の下端の雄ねじを前記下筋保持部材（１０２）の雌ねじに螺着すると共に支柱部材（１０４）の下端を下筋保持部材（１０２）の下面から下方に突出させ、上端の雄ねじを前記上筋保持部材の雌ねじに螺着したことを特徴とする中空スラブ用スペーサである。下筋保持部材及び上筋保持部材をプラスチック製とすることができ、支柱部材は市販の両端にねじを有するボルトを使用できるので、スペーサ本体を安価かつ容易に製造できる。
【００３０】
本願の請求項２５の発明は、下筋保持部（１０３）を有する下筋保持部材（１０２）と、上筋保持部及び上筋浮上防止手段を有する上筋保持部材と、下筋保持部材（１０２）と上筋保持部材を連結する支柱部材（１０４）とを有するスペーサ本体（１０１）と、型枠に固定するボード用アンカー（９０、１１０）とからなり、前記支柱部材（１０４）が上下端に雄ねじが形成されたボルトであり、該支柱部材（１０４）の下端の雄ねじを前記下筋保持部材（１０２）の雌ねじに螺着すると共に支柱部材（１０４）の下端を下筋保持部材（１０２）の下面から下方に突出させ、上端の雄ねじを前記上筋保持部材の雌ねじに螺着することで前記スペーサ本体が組み立てられており、前記支柱部材（１０４）の下端部を型枠に固定したボード用アンカー（９０、１１０）のボルト孔に螺着して型枠に取り付けるスペーサであって、前記支柱部材（１０４）の前記下筋保持部材（１０２）の内部にある位置に、脆弱に形成された破断部（１０６）を設けたことを特徴とする中空スラブ用スペーサである。支柱部材に破断部を設けたので、支柱部材の下部を回転させて破断部を破断し、支柱部材の下部を取り除くと、下筋保持部材の雌ねじを天井下地、電気器具、空調ダクトなどを吊り下げるアンカーとして利用でき、別途にこのような天井用アンカーを取り付ける必要がなくなる。
【００３１】
本願の請求項２６の発明は、請求項７のボード用アンカーにおいて、該ボード用アンカーが型枠（５１）とその上に設けた断熱材（５２）とを複合したボードに用いるものであり、前記垂下部（６’）に脆弱に形成された破断部（３１）を設けたことを特徴とするボード用アンカーである。垂下部の下部を回転して破断部を破断し、取り除くことで、型枠を取り除くことが可能となる。なお、請求項１〜２５の断熱材を用いない場合は、本発明のアンカー本体は型枠に取り付けたままで、転用することができる。
【００３２】
本願の請求項２７の発明は、請求項１２〜１８のいずれかのスペーサにおいて、前記ボード用アンカーが請求項２６のボード用アンカーであることを特徴とする中空スラブ用スペーサである。断熱材を用いる場合でも、断熱材を用いない場合と同様に、スペーサ本体を接合してボード用アンカーを中空スラブ用スペーサに利用することができる。
【００３３】
本願の請求項２８の発明は、型枠（５１）とその上に設けた断熱材（５２）とを複合したボードに用いるボード用アンカーであって、表裏貫通する円形の貫通孔（１３１）を有する基板（１３０）の裏面の貫通孔周囲から、外側に向かって膨出する抜止部（１２４）を下端に有する垂下部（１２２）を垂下形成したアンカー本体（１２０）と、上部軸（１３２）が前記貫通孔（１３１）とほぼ同径、下部軸（１３３）がそれよりも小径に形成され、該上部軸（１３２）と下部軸（１３３）の境目が型枠（５１）と断熱材（５２）の境目付近にあり、前記貫通孔（１３１）と垂下部（１２２）の中に挿通可能で所定角度回転することで引き抜き不能となる非円形の下頭部（１３４）を下端に備えた軸体（１２１）とからなり、前記アンカー本体（１２０）をボード（５１、５２）に形成した穴に挿入すると前記基板（１３０）の背面と抜止部（１２４）の間でボード（５１、５２）を挟持してアンカー本体（１２０）がボードに固定され、このアンカー本体（１２０）に前記軸体（１２１）を挿入して所定角度回転することで前記下頭部（１３４）が前記垂下部（１２２）の下端に係合して引き抜き不能となることを特徴とするボード用アンカーである。このように構成すると、断熱材の部分において、アンカー本体を軸体との間に隙間が生じないので、断熱性能が低下することがない。
【００３４】
本願の請求項２９の発明は、請求項２８のボード用アンカーにおいて、前記垂下部（１２２）の型枠（５１）と断熱材（５２）の境目に相当する付近に脆弱に形成された破断部（１２５）を設け、前記上部軸（１３２）の直下に脆弱に形成された破断部（１３８）を設けたことを特徴とするボード用アンカーである。このように構成すると、破断部で破断することで、断熱材部分はアンカー本体及び軸体が残り、型枠部分は取り除くことができるから、型枠を取り除くことが可能となり、断熱性能の低下も防止できる。
【００３５】
本願の請求項３０の発明は、請求項２９のボード用アンカーにおいて、前記下部軸（１３３）外周にストッパ（１３７）を突設し、前記垂下部（１２２）内面にこれに対応するストッパ受部（１２６）を突設し、前記軸体（１２１）を所定角度回転すると、前記ストッパ（１３７）が前記ストッパ受部（１２６）に当接して回転が停止し、型枠解体時には前記下頭部（１３４）を強い力で回転すると、前記ストッパ（１３７）が前記ストッパ受部（１２６）に当接しているために下部軸（１３３）と共に垂下部（１２２）の下部（１２３）が回転し、破断部（１３８）が破断して下部軸（１３３）を取り外せると共に、破断部（１２５）が破断して垂下部（１２２）の下部（１２３）を取り外せることを特徴とするボード用アンカーである。このように構成すると、軸体の下頭部をのみを回転すれば、ストッパがストッパ受部に当接しているために、下部軸と共に垂下部の下部が回転し、破断部が破断して下部軸と垂下部の下部を取り外すことができ、型枠を取り外すことができるようになる。
【００３６】
【発明の実施の形態】
実施例１：
図１〜４は本発明の実施例のボード用アンカーと、これを用いた中空スラブ用緊結具１に関し、図１は中空スラブ用緊結具１の一部を切欠して示す説明図、図２はアンカー本体２の斜視図、図３はアンカー本体２を型枠５１に挿入する説明図、図４は軸体３の斜視図である。
【００３７】
本実施例のボード用アンカー及び中空スラブ用緊結具１はアンカー本体２と軸体３からなる。アンカー本体２はプラスチック製で、表裏貫通する非円形貫通孔５を有する基板４と、基板４の裏面の貫通孔５周囲から垂下形成した２個の垂下部６からなり、垂下部６の下端には外側に向かって膨出する抜止部７が形成されている。基板４は円盤状をなし、中央に非円形の貫通孔５を有する。貫通孔の形状は非円形であればよいが、円形の対向する２端部を弓形に切り欠いたタイコ形とするのが好ましい。基板４の上面外周縁には立上部１０とストッパ９が形成されている。垂下部６は円柱の中央部を縦に刳り抜いた形状をしており、その長さは取り付けるボード（型枠５１）の厚さよりやや長くなっている。このような形状とすることで、また、基板４の裏面の切込８と相俟って、ボード（型枠５１）の穴に垂下部６を差し込むときに垂下部６が変形しやすくなり、差し込みが容易となる。垂下部の形状は他に円筒形状や円筒に縦方向の溝を設けた形状などとすることができる。垂下部６の外周面は摩擦が大きくなるような粗面となっている。図３に示すように、ボード（型枠５１）には垂下部６の外径ｄとほぼ同じ穴を設け、その穴に上から垂下部６を差し込むと、対向する垂下部６の下端の隙間が閉じてなくなり、下端の抜止部７の外径がボードの穴径とほぼ等しくなる。このようにすると、垂下部６下端の抜止部７の突出量を最大にすることができ、アンカーの引き抜き強度が最大となる。抜止部７がボード（型枠５１）を通過したところで垂下部６が弾性復帰して広がり、基板４の背面と抜止部７の間でボード（型枠５１）を挟持してアンカー本体がボードに固定される。
【００３８】
軸体３はプラスチック製で、円柱状をなし、下端に非円形の下頭部１１を有し、上端に鈎状に曲がった接合手段１２が、その中間に円板部１３が形成されている。円板部１３上面にはストッパ１４が１８０°反対側に２個、外側に突出して設けられている。下頭部１１は非円形であればよいが、前記の貫通孔５と同様のタイコ形とするのが好ましい。円板部１３のすぐ下側は周溝を設けることによって脆弱に形成した破断部１６となっている。下頭部１１の下面には六角形の回動手段１５が設けられている。
【００３９】
中空スラブ用緊結具１は、図１に示すように使用される。型枠５１（厚さ１２ｍｍのベニヤ板）に円形の穴を開け、この穴に、型枠の上からアンカー本体２を挿入して固定する。次に軸体３を、下頭部１１と貫通孔５の向きを合わせて、アンカー本体２の貫通孔５に円板部１３が基板４の上面に当接するまで挿入する。このとき、円板部１３は立上部１０の内側に入り込む。次に、軸体３を９０°回転させると、ストッパ１４がストッパ受部９に当接して回転が停止し、下頭部１１が垂下部６の下端に係合して引き抜き不能となる。軸体３の軸部分の外径は垂下部６の間隔とほぼ等しくなっているので、軸体３をアンカー本体２に挿入することで、垂下部６の間隔が確実に所定の間隔に復帰し、アンカー本体２がボード（型枠５１）から引き抜けることが防止される。そして、鈎状の浮上防止手段１２を下配力筋５４に引っ掛ける。このようにすると、下筋（下配力筋５４及び下主筋５３）の浮き上がりが防止されるから、ボイドを直接又は間接的に下筋に結合しておけば、ボイドが浮力で浮き上がるのを防止できる。浮上防止手段は、上筋に接続して上筋の浮上を防止するものでもよいし、ボイドに直接又はボイドの付属部品（貫通筋１４１等）に接続するものでもよい。コンクリートを打設し、硬化後に型枠５１を取り外すときは、型枠５１の下側からスパナなどで回動手段１５を回転させると、破断部１６が切断し、軸体３の下部が抜け落ちる。そうすれば、スペーサ本体２が取り付けられたままの型枠５１をコンクリートスラブから取り外すことができる。スペーサ本体２が取り付けられたままの型枠５１は、次の階のスラブの型枠としてそのまま利用できる。
【００４０】
実施例２：
図５〜図１１は本発明の実施例のボード用アンカーと、これを用いた中空スラブ用スペーサ２１に関し、図５は中空スラブ用スペーサ２１の一部を切欠して示す説明図、図６はアンカー本体２２の斜視図、図７は軸体２３の斜視図、図８は上筋保持部材３８の側面説明図、図９は下筋保持部材３７の斜視図、図１０、１１はアンカー本体２２と下筋保持部材３７を接合した状態の斜視図である。
【００４１】
本実施例のボード用アンカーはアンカー本体２２と軸体２３からなる。アンカー本体２２はプラスチック製で、表裏貫通する非円形貫通孔２５を有する基板２４と、基板２４の裏面の貫通孔２５周囲から対向して垂下形成した２個の垂下部２６からなり、垂下部２６の下端には外側に向かって膨出する抜止部２７が形成されている。基板２４は円板状をなし、中央に非円形の貫通孔２５を有する。貫通孔の形状は非円形であればよいが、タイコ形とするのが好ましい。基板２４の上面外周には、スペーサ本体３２の位置決め片４６と係合する位置決め突起４７、４８が形成されている。位置決め片４６は位置決め突起４７、４８の間に入り込んで係合し、位置決めされる。位置決め突起４７は位置決め片４６が入り込みやすいようにテーパ状をなしている。垂下部２６は円柱の中央部を縦に刳り抜いた形状をしており、その長さは取り付けるボード（型枠５１）の厚さよりやや長くなっている。この形状は前記のアンカー本体２と同じ形状で、基板２４の裏面の切込４９と相俟って、ボード（型枠５１）の穴に垂下部２６を差し込むときに垂下部２６が変形しやすくなり、差し込みが容易となり、抜止部２７を最も幅広にして耐引き抜き強度を最大にできる。垂下部の形状は他に円筒形状や円筒に縦方向の溝を設けた形状などとすることができる。ボード（型枠５１）には垂下部２６の外径とほぼ同じ径の円形の穴を設け、その穴に上から垂下部２６を差し込むと抜止部２７がボード（型枠５１）を通過したところで垂下部が弾性復帰して広がり、基板２４の背面と抜止部２７の間でボード（型枠５１）を挟持してアンカー本体がボードに固定される。
【００４２】
軸体２３はプラスチック製で、円柱状をなし、下端に非円形の下頭部２８を有し、上端に接合手段２９である非円形の上頭部を有する。下頭部２８及び上頭部の形状は非円形であればよいが、前記の貫通孔２５と同様にタイコ形とするのが好ましい。また、下頭部２８及び上頭部の向きは共に同じ向き（長辺どうしが同じ向き）とするのがよい。上頭部のやや下方にはストッパ片５８が形成されている。ストッパ片５８の形状もタイコ形となっており、その向きは下頭部２８及び上頭部と直角とするのがよい。ストッパ片５８のすぐ下側は周溝を設けることによって脆弱に形成した破断部３０となっている。下頭部２８の下面には六角形の回動手段５０が設けられている。
【００４３】
ボード（型枠５１）に固定したアンカー本体２２の貫通孔２５と垂下部２６の中に軸体２３を上から挿入する。下頭部２８が貫通孔２５と垂下部２６を通過したところで所定角度（この場合は９０°）回転すると、下頭部２８の外端が垂下部２６の下側に入り込み、軸体２３は引き抜き不能となる。軸体２３の軸部分の外径は垂下部２６の間隔とほぼ等しくなっているので、軸体２３をアンカー本体２２に挿入することで、垂下部２６の間隔が確実に所定の間隔に復帰し、アンカー本体２２がボード（型枠５１）から引き抜けることが防止される。アンカー本体２２及び軸体２３はボード（型枠５１）の片側（上側）から差し込んで固定できるので、取り付け作業がきわめて容易である。
【００４４】
スペーサ本体３２は下筋保持部材３７、上筋保持部材３８及び１本の支柱部材３９からなる。下筋保持部材３７はプラスチック製で、下筋保持部３３が３カ所外側に向かって張り出し形成されている。下筋保持部３３上には下主筋５３が支持され、その上にこれと直行する下配力筋５４が支持される。金属ナット４２が、下筋保持部材３７内に形成されかつ下筋保持部材３７の側面に開口するナット装着部４０に外側から挿入され装着されている。金属ナット４２には支柱部材３９が螺着される。また、下筋保持部材３７の下面には接合部３６として、非円形の挿入口４４とその奧（上側）の回転空所４５が設けられている。挿入口４４の形状は、軸体２３の上頭部（接合手段２９）に対応してタイコ形となっている。回転空所４５は上頭部が内部で回転可能な円筒形状となっている。軸体２３の上頭部を挿入口４４から回転空所４５に挿入し、所定角度回転（この場合は９０°）することで上頭部が引き抜き不能となる。また、所定角度回転すると軸体２３のストッパ片５８がストッパ突起５９に当接し、それ以上回転することができなくなる。
【００４５】
上筋保持部材３８はプラスチック製で、上筋保持部３４が１８０°反対側に２カ所、外側に向かって張り出し形成されている。上筋保持部３４の上には上配力筋５６が支持され、その上にこれと直行する上主筋５５が支持される。上筋保持部３４の上方には断面がエの字形の棒状の浮上防止手段３５が上筋保持部３４と直角の向きに設けられている。上筋（上主筋５５、上配力筋５６）に浮き上がる力が作用した場合、浮上防止手段３５が上主筋５５に当接し、上筋の浮上が防止される。また、金属ナット４３が、上筋保持部材３８内に形成されかつ上筋保持部材３８の側面に開口するナット装着部４１に側面から挿入され装着されている。金属ナット４３には支柱部材３９が螺着される。
【００４６】
支柱部材３９は両端に雄ねじを有するボルトで、下端の雄ねじを金属ナット４２に螺合することで下筋保持部材３７を取り付け、上端の雄ねじを金属ナット４３に螺合することで上筋保持部材３８を取り付ける。
【００４７】
次に、中空スラブ用スペーサ２１の好ましい組み立て順序の例を説明する。支柱部材３９の両端には予め金属ナット４２、４３を螺着しておく。次に下端の金属ナット４２を下筋保持部材３７のナット装着部４０に側面から差し込むことで下筋保持部材３７を取り付け、上端の金属ナット４３を上筋保持部材３８のナット装着部４１に側面から差し込むことで上筋保持部材３８を取り付け、スペーサ本体３２の組み立てが完了する。また、軸体２３は下筋保持部３７の下面に差し込み所定角度回転して取り付けておく。アンカー本体２２は型枠５１の穴に差し込んで取り付けておく。最後に、スペーサ本体３２に取り付けてある軸体を型枠に取り付けてあるアンカー本体２２に差し込んで所定角度回転し、スペーサ本体を型枠に固定する。
【００４８】
スラブ型枠上にコンクリートを打設し、硬化後型枠を解体する場合は、型枠の下側からスパナなどの工具で回動手段５０を回動する。すると、破断部３０で軸体２３が破断し、軸体２３の破断部３０から下側の部分を取り除くことができ、型枠５１を取り除けるようになる。アンカー本体２２は型枠に取り付けられたままになっているので、このまま次の階のスラブ型枠として転用できる。
【００４９】
実施例３：
図１２〜図１８は本発明の実施例のボード用アンカーと、これを用いた中空スラブ用スペーサ６０に関し、図１２は中空スラブ用スペーサ６０の一部を切欠して示す説明図、図１３はアンカー本体６１の平面、側面及び底面を示す説明図、図１４は軸体６２の底面図、図１５は下筋保持部材７５の正面と側面を示す説明図、図１６は下筋保持部材７５の平面図、図１７は上筋保持部材７６の正面と側面を示す説明図、図１８は上筋保持部材７６の底面図である。
【００５０】
本実施例のボード用アンカーはアンカー本体６１と軸体６２からなる。アンカー本体６１はプラスチック製で、中央に表裏貫通する円形の貫通孔６３ａを有する円板状の基板６４と、基板６４背面の貫通孔６３ａの周囲から垂下形成された円筒状の垂下部６３とからなる。垂下部６３の下端は外側に膨出する抜止部６５となっている。垂下部６３の内壁は上部の内径が小さく、下部の内径が大きくなっており、その境目が段部６６となっている。段部６６の高さ位置は抜止部６５が形成されている高さの範囲内にある。垂下部６３には、変形しやすいように縦溝６９が２カ所形成されている。また、垂下部６３の内壁上部には、軸体６２の抜止バネ部６８に対応して上に向かって開いたテーパ状のガイド部８６を形成している。アンカー本体６１をボード（型枠５１）に形成した穴に挿入すると、垂下部６３は弾性によって径を縮小しながら穴に進入し、抜止部６５が穴を貫通すると垂下部は弾性によりものと形状に復帰し、基板６４の背面と抜止部６５の間でボードを挟持してアンカー本体６１がボード（型枠５１）に固定される。更に４本のビス８４をボード（型枠５１）にねじ込んで強固に固定しているが、このねじは必須のものではない。
【００５１】
軸体６２は軸部分の外径がアンカー本体６１の内径とほぼ等しくなっており、上部に接合手段６７である雄ねじを有し、下部には矢印状の抜止バネ部６８を有する。抜止バネ部６８の矢印状の部分は内側に向かって弾性変形する。また、矢印状の部分の下には六角形状の回動手段８５が形成されている。軸体６２をアンカー本体６１に上方から差し込むと、矢印状の抜止バネ部６８が変形しながらアンカー本体内に進入し、抜止バネ部６８が段部６６を通過すると弾性によって元の形状に復帰して広がるので、軸体６２はアンカー本体６１から引き抜けない状態となる。軸体６２をアンカー本体６１に挿入することで、垂下部６３が確実に元の径に復帰し、アンカー本体６１がボード（型枠５１）から引き抜けることが防止される。アンカー本体６１及び軸体６２はボード（型枠５１）の片側（上側）から差し込んで固定できるので、取り付け作業がきわめて容易である。
【００５２】
スペーサ本体７０は下筋保持部材７５、上筋保持部材７６及び１本の支柱部材７７からなる。下筋保持部材７５はプラスチック製で、下筋保持部７１が２カ所外側に向かって張り出し形成されている。下筋保持部７１上には下主筋５３が支持され、その上にこれと直行する下配力筋５４が支持される。支柱部材７７と螺合するための金属ナット８０が、下筋保持部材７５内に形成されかつ下筋保持部材７５の側面に開口するナット装着部７８に側面から挿入され装着されている。金属ナット８０には支柱部材７７が螺着される。またその下に、軸体６２と接合するための金属ナット８３が、装着部７８と同様の装着部８２に装着され、金属ナット８３の雌ねじが接合部７４となっており、軸体６２の接合手段６７である上端の雄ねじと螺合する。
【００５３】
上筋保持部材７６はプラスチック製で、上筋保持部７２が１８０°反対側に２カ所、外側に向かって張り出し形成されている。上筋保持部７２の上には上配力筋５６が支持され、その上にこれと直行する上主筋５５が支持される。上筋保持部７２の上方には断面がエの字形の棒状の浮上防止手段７３が上筋保持部７２と直角の向きに設けられている。上筋（上主筋５５、上配力筋５６）に浮き上がる力が作用した場合、浮上防止手段７３が上主筋５５に当接し、上筋の浮き上がりが防止される。また、金属ナット８１が、上筋保持部材７６内に形成され、かつその側面に開口するナット装着部７９に側面から挿入され装着されている。金属ナット８１には支柱部材７７が螺着される。
【００５４】
支柱部材７７は両端に雄ねじを有するボルトで、下端の雄ねじを金属ナット８０に螺合することで下筋保持部材７５を取り付け、上端の雄ねじを金属ナット８１に螺合することで上筋保持部材７６を取り付ける。
【００５５】
次に、中空スラブ用スペーサ６０の好ましい組み立て順序の例を説明する。下筋保持部材７５には金属ナット８０、８３を、上筋保持部材７６には金属ナット８１を予め装着しておく。支柱部材７７の両端に金属ナット８０、８１を螺着して下筋保持部材７５及び上筋保持部材７６を取り付け、スペーサ本体７０を組み立てる。金属ナット８３には軸体６２を螺着し、軸体６２を下筋保持部材の下面に取り付ける。アンカー本体６１は型枠５１の穴に差し込んで取り付けておく。最後に、スペーサ本体７０の下面に取り付けてある軸体６２を型枠５１に取り付けてあるアンカー本体６１に差し込んで、スペーサ本体７０を型枠５１に固定する。このとき、軸体６２の矢印状の抜止バネ部６８は、垂下部６３の内壁上部に形成されたガイド部８６に沿って垂下部６３内に進入するので、容易に差し込むことができ、かつ、抜止バネ部６８が所定の方向を向くようにすることができる。
【００５６】
スラブ型枠上にコンクリートを打設し、硬化後型枠を解体する場合は、型枠の下側からスパナなどの工具で回動手段８５を回動し、軸体６２を取り除くと、型枠５１を取り除けるようになる。アンカー本体６１は型枠５１に取り付けられたままになっているので、このまま次の階のスラブ型枠として転用できる。下筋保持部材の接合部７４（この場合は金属ナット８３の雌ねじ）は天井インサート（天井、ダクト、照明器具などを吊り下げるためのインサート）として使用できる。
【００５７】
実施例４：
図１９〜２２は実施例のボード用アンカーと、これを用いた中空スラブ用スペーサ１５０に関し、図１９は中空スラブ用スペーサ１５０の一部を切欠して示す要部説明図、図２０はアンカー本体１５１の平面、一部切欠側面及び底面を示す説明図、図２１は軸体１６０の２側面及び底面を示す説明図、図２２は下筋保持部材１７０の平面、一部切欠側面及び底面を示す説明図である。
【００５８】
本実施例のボード用アンカーはアンカー本体１５１と軸体１６０からなる。アンカー本体１５１はプラスチック製で、平面形状が六角形の基板１５２とその下面から垂下形成された２個の垂下部１５４からなる。基板１５２は表裏貫通する貫通孔１５３を有する。貫通孔１５３の平面形状は、円形の対向する２端部を弓形に切り欠いたタイコ形である。垂下部１５４はその弓形の部分から垂下形成され、横断面形状も弓形であるが、下端に外側に向かって膨出する抜止部１５５が形成されている。基板１５２の上面には、ボードの穴に差し込むときに折り曲がり変形しやすいように切込１５６が形成され、貫通孔１５３のタイコ形の直線部分には、軸体１６１の抜止バネ部を押し込みやすいように、テーパ部１５８が形成され、更に外縁部には立上部１５７が設けられている。アンカー本体１５１をボード（型枠５１）に形成した穴に挿入すると、基板１５２は切込１５６で折れ曲がるように弾性変形し、対向する垂下部１５４は下端が相互に近づくように弾性変形しながら穴に進入し、抜止部１５５が穴を貫通すると基板及び垂下部は弾性によりものと形状に復帰し、基板１５２の背面と抜止部１５５の間でボードを挟持してアンカー本体１５１がボード（型枠５１）に固定される。
【００５９】
軸体１６０はプラスチック製で、円柱状をなし、上部に接合手段１６２（螺条）が形成され、下部には平面形状がタイコ形の抜止バネ部１６１が形成され、下端には六角形の回動手段１６５が形成されている。抜止バネ部１６１は縮めた状態でアンカー本体の貫通孔１５３をようやく通過できる形状と大きさを有し、垂下部の下方に突出すると弾発力によって開いて貫通孔１５３を通過不能となるとともに、垂下部の下部に係止して軸体が引き抜かれるのを防止する。抜止バネ部をこのようなタイコ形とすることで、抜止バネ部の垂下部に引っ掛かる面積と、軸体の耐引き抜き力が最大になる。なお、抜止バネ部１６１の上端に形成されている突起１６３は、図１９に示すように、抜止バネ部１６１の弾性復帰力によって垂下部１５４を外側に押し広げるためのもので、これによって、抜止部１５５はボード（型枠５１）の裏側に確実に引っ掛かり、アンカー本体が引き抜かれるのを防止する。また、軸体１６０の接合手段１６２（螺条）の下部には、目印１６４（縦溝）が１８０度反対側に２カ所設けられている。
【００６０】
本実施例におけるスペーサ本体は、下筋保持部材１７０、支柱部材１６７及び図示しない上筋保持部材からなる。上筋保持部材は前記の実施例３と同様のものの他、任意のものを使用できる。
【００６１】
下筋保持部材１７０はプラスチック製で、円柱状の筒状本体１７１の下端には六角形の底板部１７４が形成され、外周からは下筋保持部１７５が十字状に外側に向かってに４カ所張り出し形成されている。下筋保持部１７５上には下主筋５３が支持され、その上にこれと直行する下配力筋５４が支持される。筒状本体内部には六角柱状の中空のナット収納部１７２が形成され、その底部分にはボルト孔１７３が貫通している。収納部１７２内にはナット１６６（高ナット）が納められている。ナット１６６の上方からは支柱部材１６７を螺着し、下方からは軸体１６０を螺合する。したがって、ナット１６６は軸体を接合するための接合部である。また、ナット１６６の上部は下筋保持部材（１７０）の上部に突出して下筋（５３）の移動を制限するので、下筋を配筋する際に下筋が位置決めされ、配筋作業が容易となる。下面には、ボルト孔１７３の周囲に４５度ピッチで８個の目印突起１７７が突設されている。また、下筋保持部１７５の下部にはスリット１７６が形成され、図１９に示すように、下筋を下筋保持部に結束線１７８で結束できるようになっている。下筋を結束するためには、このようなスリットに限らず、穴や突起などを設けても良い。
【００６２】
下筋保持部材１７０には予めナット１６６を装着しておき、これに下側から軸体１６０を螺着する。このとき、目印１６４と目印突起１７７を合わせることで、下筋保持部材と軸体の位置合わせが行われる。その後、下筋保持部材を型枠５１に取り付けてあるアンカー本体１５１に、軸体１６０を差し込んで取り付ける。このとき、軸体１６０の抜止バネ部１６１はアンカー本体１５１の貫通孔１５３と同じタイコ形で、しかも、バネを縮めてようやく通過できる大きさなので、軸体とアンカー本体の位置（角度）合わせは自動的になされる。また、下筋保持部材１７０の六角形の底板部１７４はアンカー本体１５１の基板１５２の立上部１５７の内周に嵌合するので、下筋保持部材１７０を回転して角度調整したときに、アンカー本体１５１も共に回転し、軸体とアンカー本体の位置（角度）関係が変化しないので、軸体の耐引き抜き強度が低下しない。下筋保持部材とアンカー本体を共に回転させるためには、このような構成の他に、接触面を凹凸嵌合にするなど種々の構成を用いることができる。
【００６３】
このようにして下筋保持部材１７０を型枠に取り付けた後に、下筋配筋、ボイド設置、支柱・上筋保持部材・浮上防止手段の取り付け、上筋配筋を行う。型枠解体後、アンカー本体１５１は型枠に取り付けたままで他の階の型枠として転用でき、ナット１６６は天井インサートとして利用できるのは前記の実施例３と同様である。
【００６４】
実施例５：
図２３〜図２７は本発明の実施例のボード用アンカー９０と、これを用いた中空スラブ用スペーサに関し、図２３は一部を切り欠いて示す中空スラブ用スペーサの要部説明図、図２４はボード用アンカー９０の取り付け状態の平面説明図、図２５はアンカー本体９１の側面図、図２６は図２５におけるＡＡ線断面図、図２７はパッキン材９４の底面図である。
【００６５】
本実施例のボード用アンカー９０はアンカー本体９１とパッキン材９４からなる。アンカー本体９１はプラスチック製で、概略円筒状をなし、上下方向に貫通するボルト孔９２を有する。内部には金属ナット１００がインサート成形により組み込まれており、これによって、ボルト孔９２は螺条を有している。側面にはボード（型枠５１）が嵌合する三日月形状の嵌合溝９３と、パッキン部材９４の突起９７が係合する凹部９８が形成されている。パッキン材９４はゴム、軟質プラスチックなどの弾性体で形成することが望ましく、三日月形状をなし、ボード（型枠５１）とアンカー本体９１の間に填め込み、隙間を閉塞するもので、外れにくいように突起９５、９６、９７が設けられている。また、底面には、容易に填め込めるように溝９９が設けられている。
【００６６】
ボード用アンカー９０をボード（型枠５１）に取り付ける際は、まず、アンカー本体９１をボード（型枠５１）に形成した円形穴５７に差し入れた後、横（水平）方向に移動して嵌合溝９３に前記円形穴５７の周囲の部分のボードを嵌合し、アンカー本体９１をボードに保持せしめる。更に、ビス１０７で固定すれば万全であるが、ビス止めは必須ではない。アンカー本体９１を横方向に移動すると、円形穴５７の一部に三日月形の隙間が発生するので、この隙間にパッキン材９４を填め込み、閉塞する。パッキン材を填め込むことによって、ボード用アンカー９０が型枠に固定される。
【００６７】
図２３のスペーサ本体１０１は、下筋保持部１０３を有する下筋保持部材１０２と、上筋保持部及び上筋浮上防止手段を有する上筋保持部材（図示せず）と、下筋保持部材と上筋保持部材を連結する支柱部材１０４とを有する。上筋保持部材は、例えば前記の実施例と同じものを用いることができる。下筋保持部材１０２はプラスチック製で、図２９に示すように、下筋保持部１０３が１カ所、脚部１０８が２カ所、外方向に張り出し形成されている。内部には高ナット１０５がインサート成形によって組み込まれており、これにより下筋保持部材１０２は上下方向に貫通し内部に螺条を有するボルト孔を有している。
【００６８】
支柱部材１０４は両端に雄ねじを有するボルトで、下端の雄ねじを高ナット１０５に螺合することで下筋保持部材１０２を取り付ける。下端の雄ねじの根元には外周に溝を形成して脆弱にした破断部１０６が設けられている。ボルトの下端は下筋保持部材１０２の底面から突出している。その突出部分を型枠に取り付けたボード用アンカー９０の金属ナット１００に螺合し、図２３に示すように型枠５１に固定する。このとき破断部１０６の位置は下筋保持部材１０２の内部（ボルト孔の内部）にあることが望ましい。
【００６９】
実施例６：
図２８に示す実施例６は、実施例５とボード用アンカーが異なるものである。また支柱部材１０４’の破断部１０６’が下端の雄ねじの途中に設けられている点で異なり、その他のスペーサ本体１０１’の構成は実施例５と同じである。ボード用アンカー１１０はプラスチック製で、筒状をなし、上部に基板１１１が設けられ、下端外周に抜止部１１２が突出形成されている。内部は上下に貫通し螺条を有するボルト孔となっている。ボード用アンカー１１０は型枠５１に開けた穴に上から押し込むことで型枠に固定される。なお、ボード用アンカーはボルト孔を有し型枠に固定できるものであれば何でもよい。支柱部材１０４’の下端は下筋保持部材１０２の底面から突出している。その突出部分を型枠に取り付けたボード用アンカー１１０のボルト孔に螺合し、図２８に示すように型枠５１に固定する。このとき破断部１０６’の位置は下筋保持部材１０２の内部（ボルト孔の内部）にあることが望ましい。
【００７０】
実施例５、６におて、スラブ型枠上にコンクリートを打設し、硬化後型枠を解体する場合は、型枠の下側から適宜の工具で支柱部材１０４、１０４’の下端の突出している部分を回動すると、破断部１０６、１０６’が破断してそれより下の部分を抜き取ることができ、型枠５１を取り除けるようになる。ボード用アンカー９０、１１０は型枠５１に取り付けられたままになっているので、このまま次の階のスラブ型枠として転用できる。ボード用アンカー９０、１１０及び高ナット１０５のボルト孔は天井インサート（天井、ダクト、照明器具などを吊り下げるためのインサート）として使用できる。
【００７１】
実施例７：
図３０に示すのは、スラブ下面に断熱材５２を打ち込む（型枠５１の上に断熱材５２が設けられる）場合に用いる中空スラブ用スペーサ２１’である。この場合のボード用アンカーは、型枠と断熱材の複合ボードに用いる実施例７のボード用アンカーであり、アンカー本体２２’と軸体２３’からなる。スペーサ本体３２は前記の実施例２と同じである。このボード用アンカーは実施例２のボード用アンカーとは若干異なっている。すなわち、アンカー本体２２’と軸体２３’が断熱材５２の厚みの分だけ長く形成されており、軸体２３’に破断部３０が設けられると共に、アンカー本体２２’の垂下部６’にも外周面に設けた溝で脆弱となっている破断部３１が設けられている。破断部３０、３１の位置は、型枠５１と断熱材５２の境目付近とするのがよい。アンカー本体２２’及び軸体２３’のその他の構成は前記の実施例２と同じである。型枠を解体する場合は、型枠の下側からスパナなどの工具で回動手段５０を回動する。すると、破断部３０で軸体２３’が折れ、アンカー本体２２’の下の部分も供回りして破断部３１で垂下部６’が折れ、軸体２３’及びアンカー本体２２’の破断部３０、３１から下側の部分を取り除くことができ、型枠５１を取り除けるようになる。型枠５１を取り除くと、断熱材５２がスラブの下面に打ち込まれた状態で残る。この場合、垂下部は基板の非円形の貫通孔の周囲から垂下形成されているので、軸体２３’の軸部分と垂下部６’の間には隙間が生じ、したがって、断熱材５２部分に僅かな空間が存在することとなり、スラブの断熱性能が若干低下する。
【００７２】
実施例８：
図３１〜３３は実施例８のボード用アンカーに関し、図３１はボード用アンカーの一部を切欠して示す説明図、図３２はアンカー本体１２０の説明図、図３３は軸体１２１の説明図である。
【００７３】
本実施例のボード用アンカーも、スラブに断熱材５２を打ち込む（型枠５１の上に断熱材５２が設けられる）場合に用いるものである。アンカー本体１２０は、基板１３０と垂下部１２２からなり、円板状の基板１３０は表裏貫通する円形の貫通孔１３１が形成され、その周囲から円筒状の垂下部１２２が垂下形成されている。垂下部１２２の下端には、外側に向かって膨出する抜止部１２４が形成されている。垂下部１２２は上部は肉薄の筒状で、下部１２３は円柱を中央でくり抜いたような切欠部１２８によって２つ割れとなっており、その隙間ｄは上部の内径よりも小さくなっている。また、垂下部１２２内面の上部の最下部にストッパ受部１２６が形成されている。これは、軸体１２１のストッパ１３７に対応するものである。垂下部１２２の外周面には溝により脆弱となっている破断部１２５、粗面の一態様である突条１２９が形成されている。垂下部１２２の下面にはストッパ突起１２７が設けられている。
【００７４】
軸体１２１は共に円柱状の上部軸１３２及び下部軸１３３を有し、上端に接合手段１３６、下端に下頭部１３４が形成され、下頭部１３４の下面には回動手段１３５が設けられている。下頭部１３４及び接合手段１３６は前記の実施例２の下頭部２８及び接合手段２９と同様のものである。上部軸１３２の外径はアンカー本体の垂下部１２２の上部の内径にほぼ等しく、下部軸１３３の外形は垂下部の下部１２３の隙間ｄとほぼ等しくなっている。下部軸１３３の上部にはストッパ１３７が１８０°反対側に２カ所突出形成され、その上の上部軸との境目に脆弱部１３８が形成されている。
【００７５】
アンカー本体１２０は、ボード（型枠５１及び断熱材５２）に開けた円形の穴に上部から差し込んで固定する。軸体１２１は、例えば実施例２と同じスペーサ本体３２に取り付け、アンカー本体１２０の貫通孔１３１、垂下部１２２に差し込み、９０°回転する。このとき、ストッパ１３７はストッパ受部１２６に当接し、下頭部１３４の外端がストッパ突起１２７に当接して回転が停止する。破断部１２５、１３８は共に型枠５１と断熱材５２の境目付近に位置する。上部軸１３２の外径はアンカー本体の垂下部１２２の上部の内径にほぼ等しいので、間に隙間はほとんどできず、断熱材５２部分に空間が生じないので、断熱性能が低下しない。
【００７６】
型枠を解体する場合は、型枠の下側からスパナなどの工具で回動手段１３５を回動する。すると、ストッパ１３７が前記ストッパ受部１２６に当接し、また、下頭部１３４の外端がストッパ突起１２７に当接しているために、下部軸１３３と共に垂下部１２２の下部１２３が回転し、破断部１３８、１２５が破断して下部軸１３３と垂下部１２２の下部１２３を取り除き、型枠５１を取り外せるようになる。型枠５１を取り外すと、断熱材５２がスラブの下面に打ち込まれた状態で残る。
【００７７】
【発明の効果】
本発明の中空スラブ用スペーサは、例えば図３４、３５に示されるように、中空スラブの配筋に利用することができる。直行する２方向の上筋５５、５６及び下筋５３、５４で形成される四角形のマスの中に発泡スチロール製のボイド１４０が配置される。ボイド１４０は、図３６に示すように、繭玉形状をなし、貫通筋１４１で複数個を連結一体化している。貫通筋１４１は上配力筋５６の下側に結束固定されてボイド１４０が支持される。スラブ型枠上にコンクリートを打設すると、ボイド１４０はコンクリートに比べて著しく軽いために大きな浮力が生じるが、上筋（５５、５６）を介してスラブスペーサの浮上防止手段によって、浮き上がりが防止される。スラブスペーサは本発明のボード用アンカーによって型枠に固定されているから、上下の配筋全体が浮き上がることもない。
【００７８】
本発明において、ボード用アンカーはボードの片側（型枠の上側）からの作業のみで型枠などのボードに強固に取り付けることができるので取り付け作業がきわめて簡単である。軸体の上部に浮き上がり防止手段を設けることで、中空スラブ用緊結具となる。また、中空スラブ用緊結具又は中空スラブ用スペーサに利用した場合、スラブ型枠の解体に際しては、軸体をねじ切るなどして一部材を取り除くのみで、容易に型枠を解体できる状態にできる。
【図面の簡単な説明】
【図１】実施例の中空スラブ用緊結具１の一部を切欠して示す説明図である。
【図２】アンカー本体２の斜視図である。
【図３】アンカー本体２を型枠５２に挿入する説明図である。
【図４】軸体３の斜視図である。
【図５】中空スラブ用スペーサ２１の一部を切欠して示す説明図である。
【図６】アンカー本体２２の斜視図である。
【図７】軸体２３の斜視図である。
【図８】上筋保持部材３８の側面説明図である。
【図９】下筋保持部材３７の斜視図である。
【図１０】アンカー本体２２と下筋保持部材３７を接合した状態の斜視図である。
【図１１】アンカー本体２２と下筋保持部材３７を接合した状態の斜視図である。
【図１２】中空スラブ用スペーサ６０の一部を切欠して示す説明図である。
【図１３】アンカー本体６１の平面、側面及び底面を示す説明図である。
【図１４】軸体６２の底面図である。
【図１５】下筋保持部材７５の正面と側面を示す説明図である。
【図１６】下筋保持部材７５の平面図である。
【図１７】上筋保持部材７６の正面と側面を示す説明図である。
【図１８】上筋保持部材７６の底面図である。
【図１９】中空スラブ用スペーサ１５０の一部を切欠して示す要部説明図である。
【図２０】アンカー本体１５１の平面、一部切欠側面及び底面を示す説明図である。
【図２１】軸体１６０の２側面及び底面を示す説明図である。
【図２２】下筋保持部材１７０の平面、一部切欠側面及び底面を示す説明図である。
【図２３】スペーサ本体１０１の要部とボード用アンカー９０の一部を切り欠いて示す説明図である。
【図２４】ボード用アンカー９０の取り付け状態の平面説明図である。
【図２５】アンカー本体９１の側面図である。
【図２６】図２５におけるＡＡ線断面図である。
【図２７】パッキン材９４の底面図である。
【図２８】スペーサ本体１０１’の要部とボード用アンカー１１０の一部を切り欠いて示す説明図である。
【図２９】下筋保持部材１０２の平面説明図である。
【図３０】中空スラブ用スペーサ２１’の一部を切欠して示す説明図である。
【図３１】ボード用アンカーの一部を切欠して示す説明図である。
【図３２】アンカー本体１２０の説明図である。
【図３３】軸体１２１の説明図である。
【図３４】スラブスペーサ２１を用いた中空スラブの例を示す平面説明図である。
【図３５】図３４における断面説明図である。
【図３６】ボイド１４０の例を示す平面及び側面説明図である。
【符号の説明】
１  中空スラブ用緊結具
２  アンカー本体
３  軸体
４  基板
５  貫通孔
６  垂下部
７  抜止部
８  切込
９  ストッパ受部
１０  立上部
１１  下頭部
１２  浮上防止手段
１３  円板部
１４  ストッパ
１５  回動手段
１６  破断部
２１  中空スラブ用スペーサ
２２  アンカー本体
２３  軸体
２４  基板
２５  貫通孔
２６  垂下部
２７  抜止部
２８  下頭部
２９  接合手段
３０  破断部
３１  破断部
３２  スペーサ本体
３３  下筋保持部
３４  上筋保持部
３５  浮上防止手段
３６  接合部
３７  下筋保持部材
３８  上筋保持部材
３９  支柱部材
４０  ナット装着部
４１  ナット装着部
４２  金属ナット
４３  金属ナット
４４  挿入口
４５  回転空所
４６  位置決め片
４７  位置決め突起
４８  位置決め突起
４９  切込
５０  回動手段
５１  型枠
５２  断熱材
５３  下主筋
５４  下配力筋
５５  上主筋
５６  上配力筋
５７  円形穴
５８  ストッパ片
５９  ストッパ突起
６０  中空スラブ用スペーサ
６１  アンカー本体
６２  軸体
６３  垂下部
６４  基板
６５  抜止部
６６  段部
６７  接合手段
６８  抜止バネ部
６９  縦溝
７０  スペーサ本体
７１  下筋保持部
７２  上筋保持部
７３  浮上防止手段
７４  接合部
７５  下筋保持部材
７６  上筋保持部材
７７  支柱部材
７８  ナット装着部
７９  ナット装着部
８０  金属ナット
８１  金属ナット
８２  ナット装着部
８３  金属ナット
８４  ビス
８５  回動手段
８６  ガイド部
９０  ボード用アンカー
９１  アンカー本体
９２  ボルト孔
９３  嵌合溝
９４  パッキン材
９５  突起
９６  突起
９７  突起
９８  凹部
９９  溝
１００  金属ナット
１０１  スペーサ本体
１０２  下筋保持部材
１０３  下筋保持部
１０４  支柱部材
１０５  高ナット
１０６  破断部
１０７  ビス
１０８  脚部
１１０  ボード用アンカー
１１１  基板
１１２  抜止部
１２０  アンカー本体
１２１  軸体
１２２  垂下部
１２３  垂下部の下部
１２４  抜止部
１２５  破断部
１２６  ストッパ受部
１２７  ストッパ突起
１２８  切欠部
１２９  突条
１３０  基板
１３１  貫通孔
１３２  上部軸
１３３  下部軸
１３４  下頭部
１３５  回動手段
１３６  接合手段
１３７  ストッパ
１３８  破断部
１４０  ボイド
１４１  貫通筋
１５０  中空スラブ用スペーサ
１５１  アンカー本体
１５２  基板
１５３  貫通孔
１５４  垂下部
１５５  抜止部
１５６  切込
１５７  立上部
１５８  テーパ部
１６０  軸体
１６１  抜止バネ部
１６２  接合手段
１６３  突起
１６４  目印
１６５  回動手段
１６６  ナット（接合部）
１６７  支柱部材
１７０  下筋保持部材
１７１  筒状本体
１７２  ナット収納部
１７３  ボルト孔
１７４  底板部
１７５  下筋保持部
１７６  スリット
１７７  目印突起
１７８  結束線
【図１】
2004324067.tif 000003
【図２】
2004324067.tif 000004
【図３】
2004324067.tif 000005
【図４】
2004324067.tif 000006
【図５】
2004324067.tif 000007
【図６】
2004324067.tif 000008
【図７】
2004324067.tif 000009
【図８】
2004324067.tif 000010
【図９】
2004324067.tif 000011
【図１０】
2004324067.tif 000012
【図１１】
2004324067.tif 000013
【図１２】
2004324067.tif 000014
【図１３】
2004324067.tif 000015
【図１４】
2004324067.tif 000016
【図１５】
2004324067.tif 000017
【図１６】
2004324067.tif 000018
【図１７】
2004324067.tif 000019
【図１８】
2004324067.tif 000020
【図１９】
2004324067.tif 000021
【図２０】
2004324067.tif 000022
【図２１】
2004324067.tif 000023
【図２２】
2004324067.tif 000024
【図２３】
2004324067.tif 000025
【図２４】
2004324067.tif 000026
【図２５】
2004324067.tif 000027
【図２６】
2004324067.tif 000028
【図２７】
2004324067.tif 000029
【図２８】
2004324067.tif 000030
【図２９】
2004324067.tif 000031
【図３０】
2004324067.tif 000032
【図３１】
2004324067.tif 000033
【図３２】
2004324067.tif 000034
【図３３】
2004324067.tif 000035
【図３４】
2004324067.tif 000036
【図３５】
2004324067.tif 000037
【図３６】
2004324067.tif 000038